(57)【要約】【課題】障子戸により建物内の空気環境を保持できる構成を好適に構築することができる建物の障子設置構造を提供する。【解決手段】外壁１２には窓部１３が設けられ、窓部１３には窓枠１８が設けられている。窓枠１８の居室１１側には障子戸２５が設けられており、障子戸２５は、天井部１５に取り付けられた支持レール２６により吊り下げ支持されている。支持レール２６の下方には、障子戸２５が居室１１側に変位することを規制する障子規制部が設けられている。障子規制部は、障子戸２５から屋外側に向けて突出した引掛部と、窓枠１８に設けられ引掛部が引っ掛けられている受け部とを有しており、引掛部が受け部に引っ掛かっていることで、障子戸２５が壁厚み方向に揺れることが規制される。【選択図】      図１
2014237928.tif 000002
【特許請求の範囲】
【請求項１】
外壁に形成された壁開口部に開口枠が設けられている建物に適用され、
前記開口枠よりも屋内側に設けられ、前記壁開口部に対して開状態及び閉状態に移行可能な障子戸と、
前記障子戸を吊り下げ支持している支持レールと、
前記支持レールの下方に設けられ、前記障子戸が少なくとも前記閉状態にある場合に、当該障子戸が前記開口枠に対して屋内側に変位することを規制する障子規制部と、
を備えていることを特徴とする建物の障子設置構造。
【請求項２】
前記障子戸は、開状態にある場合に前記外壁の壁厚み方向において前記外壁に重なる部分を有しており、
前記障子規制部は、前記障子戸が前記開状態にある場合でも、該障子戸が屋内側に変位することを規制するものであることを特徴とする請求項１に記載の建物の障子設置構造。
【請求項３】
前記障子規制部は、前記障子戸から屋外側に向けて突出した引掛部と、前記開口枠に設けられ前記引掛部が引っ掛けられる受け部とを有し、前記引掛部が前記受け部に引っ掛けられていることで前記障子戸の変位を規制するものであり、
前記引掛部と前記受け部とは、前記障子戸の開閉が可能な状態で互いに引っ掛けられていることを特徴とする請求項２に記載の建物の障子設置構造。
【請求項４】
前記開口枠は、前記壁厚み方向において前記外壁から前記障子戸側に向けて突出した枠突出部分を有しており、
前記受け部は、前記開口枠よりも前記障子戸側に向けて突出しない状態で、前記開口枠の前記枠突出部分に取り付けられていることを特徴とする請求項３に記載の建物の障子設置構造。
【請求項５】
前記支持レールは、前記開口枠の上方において天井部に固定されており、
前記障子戸は、前記閉状態にある場合に前記開口枠よりも上方において前記外壁に重なっている重なり部分を有していることを特徴とする請求項１乃至４のいずれか１項に記載の建物の障子設置構造。
【請求項６】
前記障子戸を吊り下げている吊り下げ部材が、前記支持レールに沿って移動可能に設けられており、
前記吊り下げ部材は、前記支持レールに対して着脱可能に引っ掛けられていることを特徴とする請求項１乃至５のいずれか１項に記載の建物の障子設置構造。
【請求項７】
前記障子規制部として、前記壁開口部を挟んで上下に設けられた上側規制部及び下側規制部を備えていることを特徴とする請求項１乃至６のいずれか１項に記載の建物の障子設置構造。
【請求項８】
前記障子戸は、桟部材と、その桟部材を挟んで設けられた一対の戸仕上材と、それら戸仕上材の間に設けられた中空部とを有しており、
前記障子規制部は、前記桟部材に対して固定されていることを特徴とする請求項１乃至７のいずれか１項に記載の建物の障子設置構造。
【発明の詳細な説明】
【技術分野】
【０００１】
本発明は、建物の障子設置構造に関するものである。
【背景技術】
【０００２】
住宅等の建物において、窓部等の壁開口部に障子戸が設けられていることがある。例えば、窓部に窓枠が設けられており、障子戸が窓枠の内側に設置された構成がある（例えば特許文献１参照）。この構成では、障子戸が窓枠の上枠部に対して吊り下げ支持されており、その障子戸は、吊り下げられた状態で水平方向にスライド移動することにより開閉される。
【先行技術文献】
【特許文献】
【０００３】
【特許文献１】特開２００２−１２９８２５号公報
【発明の概要】
【発明が解決しようとする課題】
【０００４】
しかしながら、障子戸が窓枠等の開口枠の内側に配置された構成では、障子戸の大きさや形状が開口枠の内周の大きさや形状により制限されることが懸念される。例えば、建物を構築する際に、設計変更等により壁開口部が小さくなるように開口枠の仕様が変更されたにもかかわらず、障子戸の仕様の変更が行われなかった場合、建築現場において障子戸を開口枠に取り付けることができないという不都合が生じる。かといって、障子戸を壁開口部に対して小さめの仕様のものにした場合には、障子戸の外周面と開口枠の内周面との間の隙間が大きくなり、障子戸を閉状態にしているにもかかわらず、障子戸と開口枠との間の隙間を通じて通気が行われることで建物内の空気環境が変化してしまうことが懸念される。
【０００５】
本発明は、上記事情に鑑みてなされたものであり、障子戸により建物内の空気環境を保持できる構成を好適に構築することができる建物の障子設置構造を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の障子設置構造は、外壁に形成された壁開口部に開口枠が設けられている建物に適用され、前記開口枠よりも屋内側に設けられ、前記壁開口部に対して開状態及び閉状態に移行可能な障子戸と、前記障子戸を吊り下げ支持している支持レールと、前記支持レールの下方に設けられ、前記障子戸が少なくとも前記閉状態にある場合に、当該障子戸が前記開口枠に対して屋内側に変位することを規制する障子規制部と、を備えていることを特徴とする。
【０００８】
第１の発明によれば、開口枠の屋内側において障子戸が吊り下げ支持されているため、障子戸の大きさや形状が開口枠の内周の大きさや形状により制限されることを回避できる。ここで、吊り下げ支持されている障子戸は、壁厚み方向に変位することが想定されるが、障子戸が閉状態にある場合に、障子戸が屋内側に変位することが障子規制部により規制されているため、屋外と建物内との通気が障子戸と開口枠との間の隙間を通じて行われることを抑制でき、それによって、建物内の空気環境を適正に保持できる。さらに、障子戸の荷重は障子規制部ではなく支持レールに加えられるため、障子規制部に支持強度を付与することで障子戸や開口枠の意匠性が低下するということを回避できる。したがって、障子戸により建物内の空気環境を保持できる構成を好適に構築することができる。
【０００９】
第２の発明では、第１の発明において、前記障子戸は、開状態にある場合に前記壁厚み方向において前記外壁に重なる部分を有しており、前記障子規制部は、前記障子戸が前記開状態にある場合でも、該障子戸が屋内側に変位することを規制するものである。
【００１０】
第２の発明によれば、障子戸が閉状態にある場合に加えて開状態にある場合でも、その障子戸が壁厚み方向に揺れることが規制されるため、障子戸が外壁の内壁面に接触して障子戸や内壁面が破損したり変形したりすることを抑制できる。閉状態に移行した障子戸が内壁面に重なる位置にある場合、壁開口部から風が吹き込むことなどにより障子戸が壁厚み方向に揺れやすく、それに伴って、障子戸が内壁面に接触することが懸念される。このため、障子戸が閉状態にある場合でも、その障子戸の揺れが規制されていることが好ましい。
【００１１】
第３の発明では、第２の発明において、前記障子規制部は、前記障子戸から屋外側に向けて突出した引掛部と、前記開口枠に設けられ前記引掛部が引っ掛けられる受け部とを有し、前記引掛部が前記受け部に引っ掛けられていることで前記障子戸の変位を規制するものであり、前記引掛部と前記受け部とは、前記障子戸の開閉が可能な状態で互いに引っ掛けられている。
【００１２】
第３の発明によれば、障子戸の開閉状態にかかわらず、その障子戸の壁厚み方向の変位が規制されるため、障子戸が開口枠や内壁面に接触するということをより確実に抑制できる。しかも、障子規制部が引掛部と受け部との引っ掛かりにより形成される構成において、受け部が開口枠に取り付けられているため、壁厚み方向において障子戸と開口枠との位置関係を障子規制部により好適に調整することができる。ここで、開口枠が内壁面よりも屋内側に突出している建物においては、内壁面よりも開口枠に障子戸が接触しやすいため、障子戸や開口枠の破損や変形を抑制する上で、障子戸と開口枠との離間距離を調整することが好ましい。
【００１３】
第４の発明では、第３の発明において、前記開口枠は、前記壁厚み方向において前記外壁から前記障子戸側に向けて突出した枠突出部分を有しており、前記受け部は、前記開口枠よりも前記障子戸側に向けて突出しない状態で、前記開口枠の前記枠突出部分に取り付けられている。
【００１４】
第４の発明によれば、内壁面と開口枠との境界部に生じた段差を受け部の設置スペースとして利用しているため、障子戸と開口枠とが接触していないにもかかわらず、受け部が障子戸に接触したり引掛部が開口枠や内壁面に接触したりする、ということを回避できる。
【００１５】
第５の発明では、第１乃至第４のいずれかの発明において、前記支持レールは、前記開口枠の上方において天井部に固定されており、前記障子戸は、前記閉状態にある場合に前記開口枠よりも上方において前記外壁に重なっている重なり部分を有している。
【００１６】
障子戸と開口枠とが接触した状態が障子規制部により保持されると、障子戸と開口枠との接触部分が変色したり傷付いたりすることが懸念される。このため、障子戸は開口枠から屋内側に僅かに離間した位置にて所持規制部により位置保持されると想定されるが、この場合、障子戸と開口枠との間の隙間を通じて通気が行われることが懸念される。
【００１７】
これに対して、第５の発明によれば、開口枠の上方において障子戸が内壁面に重なっているため、障子戸と開口枠との間に隙間があったとしても、その隙間を空気が通るためにはその空気が障子戸と内壁面との間も通る必要があり、通気が生じにくくなっている。したがって、障子戸により建物内の空気環境をさらに好適に保持することができる。
【００１８】
第６の発明では、第１乃至第５のいずれかの発明において、前記障子戸を吊り下げている吊り下げ部材が、前記支持レールに沿って移動可能に設けられており、前記吊り下げ部材は、前記支持レールに対して着脱可能に引っ掛けられている。
【００１９】
第６の発明によれば、支持レールから障子戸を取り外すことにより、支持レールに布カーテンなど障子戸ではない部材を取り付けることができる。このため、壁開口部に対して多種多様な開閉体を容易に取り付けることができる。
【００２０】
第７の発明では、第１乃至第６のいずれかの発明において、前記障子規制部として、前記壁開口部を挟んで上下に設けられた上側規制部及び下側規制部を備えている。
【００２１】
第７の発明によれば、障子戸が吊り下げ支持されている構成において、その障子戸が開口枠から屋内側に変位することをより確実に規制できる。
【００２２】
第８の発明では、第１乃至７のいずれかの発明において、前記障子戸は、桟部材と、その桟部材を挟んで設けられた一対の戸仕上材と、それら戸仕上材の間に設けられた中空部とを有しており、前記障子規制部は、前記桟部材に対して固定されている。
【００２３】
第８の発明によれば、障子戸においては、その中空部が断熱性を有しているため、壁開口部における屋外と建物内との熱の伝わりを障子戸により規制できる。このため、障子戸により建物内の空気環境をさらに好適に保持できる。しかも、障子規制部が桟部材に固定されているため、障子規制部の固定対象として専用部材を障子戸に取り付ける必要がなく、その専用部材により障子戸の意匠性が低下することを回避できる。
【図面の簡単な説明】
【００２４】
【図１】窓部を示す図
【図２】図１（ｂ）のＡ−Ａ線断面図
【図３】障子規制部の構成を示す図
【図４】別の障子戸の構成を示す縦断面図
【図５】別の居室の窓部を示す図
【発明を実施するための形態】
【００２５】
以下、本発明を具体化した一実施形態について図面を参照しつつ説明する。本実施形態では、住宅等の建物が居住空間として居室を有しており、本発明の障子設置構造を居室において具体化している。図１は窓部１３を示す図であり、（ａ）に障子戸２５が開状態にある場合の図を示し、（ｂ）に障子戸２５が閉状態にある場合の図を示している。
【００２６】
図１（ａ）、（ｂ）において、居室１１は、建物の外壁１２に形成された窓部１３を有している。窓部１３は、床部１４の床面から天井部１５に向けて延びている掃き出し窓とされている。居室１１は、外壁１２により形成された窓側壁面１７ａと、その窓側壁面１７ａを挟んで互いに対向する一対の対向壁面１７ｂとを有しており、対向壁面１７ｂは、外壁や間仕切壁などにより形成されている。
【００２７】
なお、外壁１２は、屋外側に配置された外壁パネルと屋内側に配置された内壁パネルとを有しており、内壁パネルは、石膏ボード等の内壁面材と、その内壁面材が取り付けられている内壁下地とを有している。内壁下地は、上下方向や左右方向に延びるフレーム材が複数組み合わされることで形成されている。
【００２８】
窓部１３には、矩形枠状の窓枠１８が設けられている。窓枠１８は、上下方向に延びる一対の縦枠部１８ａと、それら縦枠部１８ａの上端部同士を連結する上枠部１８ｂとを有しており、上枠部１８ｂは左右方向に延びている横枠部である。上枠部１８ｂは、天井部１５から下方に離間した位置に配置されており、上枠部１８ｂと天井部１５との間には窓側壁面１７ａが存在している。また、縦枠部１８ａは、対向壁面１７ｂから窓部１３側に離間しており、縦枠部１８ａと対向壁面１７ｂとの間には窓側壁面１７ａが存在している。なお、窓部１３が壁開口部に相当し、窓枠１８が開口枠に相当する。
【００２９】
窓部１３には、開閉可能な引き違い式のサッシ戸２１が設けられている。窓枠１８の屋外側には、図示しない矩形枠状のサッシ枠が設けられており、サッシ戸２１はそのサッシ枠に対して開閉可能に取り付けられている。窓枠１８とサッシ枠とは、外壁１２の壁厚み方向において並べて配置されており、窓枠１８はサッシ枠に対して固定されている。
【００３０】
窓枠１８の居室１１側には、開閉可能な板状の障子戸２５が設けられている。障子戸２５は、窓側壁面１７ａに沿って水平方向に移動することで開状態及び閉状態に移行可能になっている。障子戸２５は、閉状態に移行することで窓部１３を居室１１側から覆い隠した状態になり、開状態に移行することで窓部１３を居室１１側に露出させた状態になる。障子戸２５は、壁幅方向において窓部１３の側方に向けて移動することで、閉状態から開状態に移行する。
【００３１】
壁高さ方向において、障子戸２５の高さ寸法は窓側壁面１７ａの高さ寸法（天井高）とほぼ同じにされている。この場合、障子戸２５は、窓枠１８の上枠部１８ｂよりも高い位置に突出しており、その突出部分は、障子戸２５が閉状態にある場合に窓部１３の上方において窓側壁面１７ａに重なっている重なり部分２５ａになっている。
【００３２】
障子戸２５は、左右一対設けられており、それら障子戸２５は壁幅方向に沿って並べて配置されている。一対の障子戸２５は側面同士が対向しており、それぞれが閉状態にある場合にそれぞれの側面が互いに当接している。各障子戸２５が閉状態にある場合、窓枠１８の屋内側面は、いずれかの障子戸２５の屋外側面と対向している。このため、一対の障子戸２５は、閉状態にある場合に、窓部１３に加えて窓枠１８も居室１１側から覆い隠している。
【００３３】
壁厚み方向において、障子戸２５の幅寸法は、窓枠１８の幅寸法のほぼ１／２とされている。また、窓部１３の側方において、窓側壁面１７ａの幅寸法は障子戸２５の幅寸法とほぼ同じにされており、障子戸２５は、開状態のうち全開状態にある場合に、全体が窓側壁面１７ａに重なる位置に配置されている。
【００３４】
天井部１５には、障子戸２５を吊り下げ支持する支持レール２６が設けられている。支持レール２６は、天井部１５の天井面に沿って窓側壁面１７ａと平行に延びており、障子戸２５は、支持レール２６の長手方向に沿ってスライド移動可能になっている。支持レール２６は、一対の対向壁面１７ｂの間に設けられており、それら対向壁面１７ｂに掛け渡された状態になっている。支持レール２６の長さ寸法は、一対の対向壁面１７ｂの離間距離（窓側壁面１７ａの幅寸法）とほぼ同じになっている。
【００３５】
次に、障子戸２５の支持構造について図２、図３を参照しつつ説明する。図２は図１（ｂ）のＡ−Ａ線断面図、図３は障子規制部４１の構成を示す図である。図３においては、（ａ）に障子規制部４１の斜視図を示し、（ｂ）は図１（ｂ）のＢ−Ｂ線断面図を示す。なお、図３（ａ）においては、支持レール２６とフック部３５との分解図を示し、外壁１２及び天井部１５の図示を省略している。
【００３６】
図２に示すように、障子戸２５は、下地材としての桟部材３１と、その桟部材３１を挟んで設けられた一対の戸仕上材３２と、それら戸仕上材３２の間に設けられた中空部３３とを有している。桟部材３１は、横桟や縦桟を含んで全体として矩形枠状に形成されている。戸仕上材３２は、紙材やシート材などにより形成されており、桟部材３１の側面に対して接着剤等により接合されている。中空部３３は、戸仕上材３２に沿って延びており、障子戸２５の厚み方向に熱が伝わることを規制する断熱性能を障子戸２５に付与している。
【００３７】
障子戸２５は、その上端面から上方に向けて突出したフック部３５を有している。支持レール２６は、下方に向けて開放された溝部２６ａを有しており、障子戸２５のフック部３５は、溝部２６ａ内に引っ掛けられている。溝部２６ａは、支持レール２６の長手方向に沿って延びており、フック部３５は、溝部２６ａに引っ掛けられた状態でその溝部２６ａの長手方向に沿って移動可能になっている。これにより、障子戸２５は、支持レール２６により吊り下げ支持された状態で、水平方向にスライド移動することが可能になっている。なお、フック部３５が吊り下げ部材に相当する。
【００３８】
障子戸２５は、閉状態にある場合に窓部１３と居室１１との間での通気を遮断する状態になっている。また、上述したように、障子戸２５が断熱性能を有しているため、窓部１３と居室１１との間での熱の伝達が障子戸２５により規制されている。これにより、居室１１がエアコン等により空調されている場合に、その空調効率が高められることになる。
【００３９】
ここで、障子戸２５が支持レール２６により吊り下げ支持されている構成では、障子戸２５が支持レール２６を支点として壁厚み方向に揺れ、障子戸２５が窓枠１８から遠ざかる方向に変位することが懸念される。この場合、障子戸２５と窓枠１８との離間部分を通じて窓部１３と居室１１との間の通気が行われやすくなり、障子戸２５による通気遮断性能が低下し、障子戸２５が有する断熱性能も発揮されなくなってしまう。
【００４０】
そこで、支持レール２６の下方において、障子戸２５が居室１１側に変位することが障子規制部４１により規制されている。障子規制部４１は、窓枠１８の上方において外壁１２と障子戸２５との間に設けられている。障子規制部４１は、障子戸２５から屋外側に向けて突出した引掛部４２と、窓枠１８に設けられ引掛部４２が引っ掛かる受け部４３とを有しており、引掛部４２が受け部４３に引っ掛けられていることで、障子戸２５が窓枠１８から離れる側に移動することを規制している。これにより、障子戸２５と窓枠１８との間を通じて通気が行われることが抑制される。
【００４１】
受け部４３は、窓枠１８の上枠部１８ｂに取り付けられている。窓枠１８は、窓側壁面１７ａから居室１１側に突出した枠突出部分４５を有しており、受け部４３はその枠突出部分４５に取り付けられている。受け部４３は、枠突出部分４５に固定された受け固定部４３ａと、その受け固定部４３ａから上方に向けて延びた起立部４３ｂとを有している。受け固定部４３ａは、枠突出部分４５において上枠部１８ｂの上に載せられており、その上枠部１８ｂに対してビス固定されている。起立部４３ｂは、受け固定部４３ａの居室１１側端部に設けられており、窓側壁面１７ａから居室１１側に離間している。起立部４３ｂの居室１１側の側面は、上枠部１８ｂの居室１１側の側面と同一平面を形成しており、受け部４３は、上枠部１８ｂよりも居室１１側には突出していない。
【００４２】
引掛部４２は、障子戸２５の屋外側面に対して取り付けられている。引掛部４２は、戸仕上材３２を介して桟部材３１にビス固定された引掛固定部４２ａと、その引掛固定部４２ａから下方に向けて延びている延出部４２ｂとを有している。引掛固定部４２ａは、障子戸２５の屋外側面に沿って延びており、延出部４２ｂは、引掛固定部４２ａから屋外側に向けて延びている部分と、その部分の屋外側端部から下方に向けて延びている部分とを有している。
【００４３】
引掛部４２においては、下方に向けて開放された凹部が引掛固定部４２ａ及び延出部４２ｂにより形成されており、その凹部（引掛固定部４２ａと延出部４２ｂとの間）に受け部４３の起立部４３ｂが入り込んだ状態になることで、引掛部４２が受け部４３に引っ掛かっていることになる。この場合、受け部４３の起立部４３ｂの屋外側面に引掛部４２の延出部４２ｂが当接することで、障子戸２５が窓枠１８から居室１１側に離間することが規制される一方で、受け部４３の起立部４３ｂの屋内側面（居室１１側面）に引掛部４２の引掛固定部４２ａが当接することで、障子戸２５が窓枠１８に接触することが規制される。
【００４４】
図３（ａ）に示すように、受け部４３は、上枠部１８ｂに沿って延びた長尺部材とされている。受け部４３は、壁幅方向において上枠部１８ｂの全体に対して設けられている。また、受け部４３の長さ寸法は、上枠部１８ｂ（窓枠１８）の幅寸法よりも大きくされており、上枠部１８ｂよりも側方に向けて突出している。一方で、引掛部４２は短尺部材とされており、壁幅方向に沿って所定間隔で複数設けられている。障子戸２５が閉状態にある場合には、全ての引掛部４２が受け部４３に引っ掛かっている。また、障子戸２５が開状態にある場合でも、窓部１３側に配置された引掛部４２が、受け部４３において窓枠１８から側方に突出した部分に引っ掛かっている。したがって、障子規制部４１は、障子戸２５の開閉状態に関係なく、フック部３５を支点とした障子戸２５の揺れを規制する振れ止めとしての役割を果たすことになる。
【００４５】
図２の説明に戻り、障子戸２５には、その障子戸２５と床部１４との隙間を埋める隙間埋め部材４６が取り付けられている。隙間埋め部材４６は、モヘア等により形成され、壁幅方向において障子戸２５の下端面に沿って延びており、障子戸２５と床部１４との間の隙間を通じた通気を遮断することが可能になっている。
【００４６】
図３（ｂ）に示すように、障子戸２５には、その障子戸２５の支持レール２６に沿った移動を規制するサイドストッパ４８が取り付けられている。障子戸２５は、閉状態にある場合に壁幅方向において窓部１３とは反対側に向けて窓枠１８から突出しており、その突出部分にサイドストッパ４８が取り付けられている。サイドストッパ４８は、障子戸２５の屋外側に配置され桟部材３１にビス固定されたストッパ固定部４８ａと、縦枠部１８ａにおける窓部１３とは反対側の側面に当接する当接部４８ｂとを有している。当接部４８ｂは、ストッパ固定部４８ａから屋外側に向けて延びており、壁幅方向において縦枠部１８ａを挟んで窓部１３とは反対側に配置されている。当接部４８ｂは、縦枠部１８ａに当接することで、障子戸２５が一対の縦枠部１８ａの中間位置まで移動することを規制し手いる。
【００４７】
サイドストッパ４８は、障子戸２５において縦枠部１８ａに重なる範囲の全体に配置されている。このため、障子戸２５が閉状態にある場合に、障子戸２５と縦枠部１８ａとの間に隙間が生じていたとしても、その隙間を通じた窓部１３と居室１１との通気がサイドストッパ４８により規制される。なお、サイドストッパ４８は通気遮断部に相当する。
【００４８】
以上詳述した本実施形態によれば、以下の優れた効果が得られる。
【００４９】
障子戸２５が窓枠１８よりも居室１１側に配置されているため、障子戸２５の大きさや形状が窓枠１８の内周の大きさや形状により制限されることを回避できる。ここで、障子戸２５は吊り下げ支持されているため、壁厚み方向に変位することが想定されるが、障子戸２５が閉状態にある場合に、障子戸２５が居室１１側に変位することが障子規制部４１により規制されているため、屋外と居室１１との通気が障子戸２５と窓枠１８との間の隙間を通じて行われることを抑制でき、それによって、居室１１の空気環境を適正に保持できる。さらに、障子戸２５の荷重は障子規制部４１ではなく支持レール２６に加えられるため、障子規制部４１に支持強度を付与することで障子戸２５や窓枠１８の意匠性が低下する、ということを回避できる。したがって、障子戸２５により居室１１の空気環境を保持できる構成を好適に構築することができる。
【００５０】
開状態にある障子戸２５が壁厚み方向に揺れることが障子規制部４１により規制されるため、障子戸２５が窓側壁面１７ａに接触して障子戸２５や窓側壁面１７ａが破損したり変形したりすることを抑制できる。ここで、開状態にある障子戸２５が窓側壁面１７ａに重なっている構成では、その障子戸２５と窓側壁面１７ａとの間に風が吹き込むことなどにより、障子戸２５が壁厚み方向に揺れやすくなるため、障子戸２５が開状態にある場合に壁厚み方向への障子戸２５の変位が規制されることが好ましい。
【００５１】
障子戸２５は、引掛部４２が受け部４３に引っ掛かった状態のまま開閉可能になっているため、障子戸２５が窓枠１８や窓側壁面１７ａに接触するということをより確実に抑制できる。しかも、受け部４３が窓枠１８に取り付けられているため、壁厚み方向において障子戸２５と窓枠１８との位置関係を障子規制部４１により好適に調整することができる。ここで、窓枠１８が窓側壁面１７ａよりも居室１１側に突出している構成では、障子戸２５が窓側壁面１７ａよりも窓枠１８に接触しやすいため、障子戸２５や窓枠１８の破損や変形を抑制する上で、障子戸２５と窓枠１８との離間距離を調整することが好ましい。
【００５２】
窓枠１８と窓側壁面１７ａとの間に形成された段差を受け部４３の設置スペースとして利用しているため、障子戸２５と窓枠１８とが接触していないにもかかわらず、受け部４３が障子戸２５に接触したり引掛部４２が窓枠１８や窓側壁面１７ａに接触したりする、ということを回避できる。
【００５３】
障子戸２５と窓枠１８とが僅かに離間した状態が障子規制部４１により保持されるため、障子戸２５と窓枠１８とが接触した状態が続いてその接触した部分が変色したり傷付いたりすることを回避できる。ところが、障子戸２５と窓枠１８との間に隙間があると、その隙間を通じて屋外と居室１１とが通気が行われることが懸念される。これに対して、窓枠１８の上方においては、障子戸２５の重なり部分２５ａが窓側壁面１７ａに重なっているため、障子戸２５と窓枠１８との間に隙間があっても、その隙間を空気が通るためにはその空気が重なり部分２５ａと窓側壁面１７ａとの間も通る必要があり、通気が生じにくくなっている。したがって、障子戸２５により居室１１の空気環境をさらに好適に保持することができる。
【００５４】
障子戸２５のフック部３５は支持レール２６に対して着脱可能になっているため、フック部３５を支持レール２６から取り外すことで、支持レール２６に布カーテンなど障子戸２５ではない部材を取り付けることができる。このため、窓部１３に対して多種多様な開閉体を取り付けることができる。
【００５５】
障子戸２５が太鼓張り障子とされているため、その中空部３３により断熱性を発揮できる。このため、障子戸２５が閉状態にある場合に、窓部１３における屋外と居室１１との熱の伝わりを障子戸２５により規制できる。しかも、障子規制部４１の引掛部４２が障子戸２５の桟部材３１に固定されているため、引掛部４２の固定対象として専用部材を障子戸２５に取り付ける必要がなく、その専用部材により障子戸２５の意匠性が低下することを回避できる。
【００５６】
［他の実施形態］
本発明は上記実施形態の記載内容に限定されず、例えば次のように実施されてもよい。
【００５７】
（１）上記実施形態では、支持レール２６が天井部１５に取り付けられていたが、支持レール２６は、窓枠１８の上方であれば窓側壁面１７ａや対向壁面１７ｂに対して取り付けられていてもよい。例えば、図４に示すように、外壁１２の窓側壁面１７ａに対して横材５１が取り付けられ、支持レール２６が溝部２６ａを下方に向けた状態で横材５１に固定された構成とする。この構成では、横材５１が外壁１２の居室１１側に配置され、支持レール２６が横材５１の下面に対してビス固定されている。この場合でも、障子戸２５が、窓枠１８の上方に配置された重なり部分２５ａを有していることが好ましい。
【００５８】
また、障子規制部４１は、上下に複数並べて設けられていてもよい。例えば、図４に示すように、障子規制部４１として、下側規制部４１ａとその下側規制部４１ａよりも上方に配置された上側規制部４１ｂとが設けられた構成とする。この構成では、窓部１３が掃き出し窓ではなく、床部１４から上方に離間した位置に配置された腰窓等であり、窓枠１８が横枠部として下枠部１８ｃを有し、上側規制部４１ｂが上記実施形態の障子規制部４１と同様に上枠部１８ｂに固定され、下側規制部４１ａが下枠部１８ｃに対して固定されている。
【００５９】
下側規制部４１ａは、窓枠１８の下方において外壁１２と障子戸２５との間に設けられている。障子戸２５は、窓枠１８の下枠部１８ｃよりも低い位置まで延びており、その延出部分に引掛部４２が取り付けられている。また、受け部４３は、下枠部１８ｃの下面に取り付けられている。
【００６０】
障子規制部４１として、上側規制部４１ｂ及び下側規制部４１ａが設けられている構成によれば、障子戸２５が居室１１側に変位することがその障子戸２５の上端寄り部分及び下端寄り部分の両方について規制されるため、障子戸２５が壁厚み方向に揺れることをその障子戸２５全体について抑制できる。
【００６１】
（２）障子規制部４１の受け部４３は、障子戸２５の移動範囲の全体に配置されていてもよい。例えば、図５（ａ），（ｂ）に示すように、窓枠１８の側方において、上枠部１８ｂに横並びに付け鴨居５５が設けられており、受け部４３が上枠部１８ｂ及び付け鴨居５５の両方に設けられた構成とする。
【００６２】
この構成では、付け鴨居５５が窓枠１８から側方に向けて延びており、窓枠１８と対向壁面１７ｂとに掛け渡された状態になっている。受け部４３は、上枠部１８ｂ及び付け鴨居５５の各上面に設けられており、その長さ寸法が窓側壁面１７ａの幅寸法とほぼ同じにされている。この場合、受け部４３は、一対の対向壁面１７ｂに掛け渡された状態になっており、窓枠１８と付け鴨居５５との境界部を壁幅方向に跨いでいる。この場合、障子戸２５の開閉状態に関係なく、その障子戸２５の各引掛部４２の全てが受け部４３に引っ掛かった状態になっている。
【００６３】
（３）上記実施形態では、障子規制部４１の引掛部４２が短尺部材とされていたが、引掛部４２は、障子戸２５の幅方向に沿って延びる長尺部材とされていてもよい。例えば、引掛部４２が、壁幅方向において障子戸２５のほぼ全体に対して設けられた構成とする。この構成では、引掛部４２の長さ寸法が障子戸２５の長さ寸法とほぼ同じにされており、障子戸２５が閉状態にある場合に、引掛部４２と受け部４３との引っ掛かり部分が、障子戸２５の幅方向のほぼ全体に配置されていることになる。この場合、障子戸２５と上枠部１８ｂとの間の隙間を通じた通気が引掛部４２及び受け部４３により遮断される。
【００６４】
（４）上記実施形態では、受け部４３が窓枠１８の上枠部１８ｂに取り付けられていたが、受け部４３は縦枠部１８ａに取り付けられていてもよい。この場合、受け部４３は短尺部材とされ、引掛部４２が長尺部材とされ、引掛部４２と受け部４３とが引っ掛かった状態のまま障子戸２５がスライド移動可能な構成にされていることが好ましい。
【００６５】
また、受け部４３は、外壁１２の窓側壁面１７ａに対して取り付けられていてもよい。この場合でも、引掛部４２が受け部４３に引っ掛かっていることで、障子戸２５の居室１１側への変位が規制される。
【００６６】
（５）上記実施形態では、障子規制部４１が引掛部４２及び受け部４３を有してたが、伸縮可能なゴム等の伸縮部材により障子戸２５と窓枠１８又は窓側壁面１７ａとが連結されていてもよい。
【００６７】
（６）障子戸２５は、窓部１３に対して設けられ、開閉可能な開閉体であれば、襖や框戸、フラッシュ戸であってもよい。
【符号の説明】
【００６８】
１２…外壁、１３…壁開口部としての窓部、１８…開口枠としての窓枠、２５…障子戸、２５ａ…重なり部分、２６…支持レール、３１…桟部材、３２…戸仕上材、３３…中空部、４１…障子規制部、４２…障子規制部を構成する引掛部、４３…障子規制部を構成する受け部、４５…枠突出部。
【図１】
2014237928.tif 000003
【図２】
2014237928.tif 000004
【図３】
2014237928.tif 000005
【図４】
2014237928.tif 000006
【図５】
2014237928.tif 000007